(57)【要約】【課題】狭い開度に初期開放された段階を経てから扉が広い開度に終局開放され、その間に高熱蒸気の周辺放出が行なわれる二段階開放型扉用ロックハンドル装置を提供する。【解決手段】ラッチボルト３は、ラッチボルト３の進退方向と平行な面で構成され、操作ハンドル１を第二位置から第一位置に回転させて連動機構２のスライダー４を前進させたとき、ストライク６が当接する本止めロック面７と、ラッチボルト３の進退方向に対して傾斜した面で構成され、操作ハンドル６を第一位置から第二位置に回転させてスライダー４を後退させたとき、ストライク６が当接する仮止めロック面８とを有する。本止めロック面７に隣接した仮止めロック８は本止めロック面７の先端縁７ａよりラッチボルト３の進退方向に突出して形成されており、ストライク６と仮止めロック面８が当接しているとき、扉１と筐体５の間に隙間が生じる。【選択図】    図２
2004332270.tif 000002
【特許請求の範囲】
【請求項１】
操作ハンドル１の回転運動を直線往復運動に変換する連動機構２を介して操作ハンドル１に連動装備されたラッチボルト３は、ラッチボルト３の進退方向と平行な面で構成され、操作ハンドル１を第二位置から第一位置に回転させて連動機構２のスライダー４を前進駆動させたとき、筐体５側のストライク６が当接する本止めロック面７と、ラッチボルト３の進退方向に対して傾斜した面で構成され、操作ハンドル１を第一位置から第二位置に回転させてスライダー４を後退駆動させたとき、ストライク６が当接する仮止めロック面８とを有しており、本止めロック面７に隣接した仮止めロック８は本止めロック面７の先端縁７ａよりラッチボルト３の進退方向に突出して形成されており、ストライク６と仮止めロック面８が当接しているとき、扉９と筐体５の間に隙間が生じるように配置した二段階開放型扉用ロックハンドル装置。
【発明の詳細な説明】
【０００１】
【発明の属する技術分野】本発明は、扉の開閉操作と筐体に対する施錠操作に使用される扉用ロックハンドル装置に関するものである。
【０００２】
【従来の技術】スチームオーブンなどの調理機器に使用される扉用ロックハンドル装置では、扉を一気に全開させた場合、筐体内の蒸気や熱気が操作者の顔面に集中噴出して火傷を招く惧れがあるため、最初は扉を狭い開度に開放し、この初期開放の段階で蒸気や熱気を扉の周辺から逸出させ、操作者の顔面に直接かつ大量に吹付けさせないように配慮した設計が要請されている。
【０００３】
このような要請に沿うものとして、操作ハンドルが倒伏位置にあるとき、受金具のロック棒に係合して扉を筐体に対して施錠する第一フック部をロックレバーの先端部に設け、操作ハンドルが引き起こされたとき、ロック棒の背後に入り込む第二フック部をロックレバーの先端部に設け、第二フック部を第一フック部よりも扉側に突出させて両者間に遊び空間を設けた扉用ロックハンドル装置が提案されている（特許文献１参照）。
【０００４】
また、固定ケースに扉の厚み方向に並列させて外側ラッチボルトと内側ラッチボルトを収容し、バネ部材で前進付勢された内外のラッチボルトの先端部が順次に係合する単一のストライカーを筐体に設け、固定ケースにラッチボルトの長さ方向に移動する移動体を収容し、ラッチボルトに係脱する第一フックと第二フックを有するラッチ牽引カムを該移動体の先端部に枢着し、別のバネ部材でラッチ牽引カムを双方のラッチボルトに係合可能な中間位置に保持し、外側のラッチボルトが前進位置にあって内側のラッチボルトが後退位置にあるとき、ラッチ牽引カムが外側のラッチボルトだけと係合する一方、双方のラッチボルトが前進位置にあるときには、ラッチ牽引カムが同時に双方のラッチボルトと係合するようにした二段階開放型扉用ラッチ装置も提案されている（特許文献２参照）。
【０００５】
しかしながら、特許文献１に開示されている従来装置における扉開閉の作動方式は、開放時には扉正面と平行な枢軸を中心に操作者が手前に引き起こし回転させる一方、扉の閉鎖時には操作ハンドルに触れずに操作者が手で扉を筐体に向かって押し遣る方式であるため、操作者が扉を乱暴に強く押し遣ったときには、ロックレバーや受金具に強い衝撃が加わり、長期の使用中にロックレバーや受金具が歪曲変形したり損傷することがある。また、大きな衝撃振動のもとに扉を閉鎖するときには、蒸し上げたり焼き上げたりする前の調理物等に形崩れや波打ち変形を発生し易く、不良品を発生させる原因にもなっている。
【０００６】
特許文献２に開示された扉用ラッチ装置では、ラッチボルトを内外一対に装備してあるため、構成部品点数が多くて機構的に複雑であり、製作加工のコストの節減が困難である。
【０００７】
【特許文献１】特許第２８６９０６０号公報
【特許文献２】特許第３１９３９０７号公報
【０００８】
【発明が解決しようとする課題】したがって本発明の課題は、構成部品点数が少ない簡略化された構造でありながら、狭い開度に初期開放された段階を経てから扉が広い開度に終局開放されるため、操作者が蒸気や熱気の集中噴出から確実に防護されるとともに、扉が無用な衝撃なしに静かに安全に閉鎖される二段階開放型扉用ロックハンドル装置を提供することである。
【０００９】
【課題を解決するための手段】本発明の二段階開放型扉用ロックハンドル装置は、操作ハンドル１の回転運動を直線往復運動に変換する連動機構２を介して操作ハンドル１に連動装備されたラッチボルト３は、ラッチボルト３の進退方向と平行な面で構成され、操作ハンドル１を第二位置から第一位置に回転させて連動機構２のスライダー４を前進駆動させたとき、筐体５側のストライク６が当接する本止めロック面７と、ラッチボルト３の進退方向に対して傾斜した面で構成され、操作ハンドル１を第一位置から第二位置に回転させてスライダー４を後退駆動させたとき、ストライク６が当接する仮止めロック面８とを有しており、本止めロック面７に隣接した仮止めロック８は本止めロック面７の先端縁７ａよりラッチボルト３の進退方向に突出して形成されており、ストライク６と仮止めロック面８が当接しているとき、扉９と筐体５の間に隙間が生じるように配置したものである。
【００１０】
【発明の作用】本発明の二段階開放型扉用ロックハンドル装置では、図１と図２に示したように扉９が閉鎖されて筐体５に対して施錠されているときには、操作ハンドル１は握り部１ａが垂直に配置された第一位置にあり、図４に示したようにラッチボルト３はストライク６の裏側に入り込み、本止めロック面７にてストライク６に係合している。
【００１１】
扉９の施錠を解除して扉９を開放回転させるために、操作ハンドル１を前記第一位置から所定角度、例えば９０度回転させると、図３に示したように操作ハンドル１は握り部１ａが水平に配置された第二位置に来る。
この第二位置に来る過程においてラッチボルト３は連動機構２の作用によって後退方向に駆動させられ、ストライク６とラッチボルト３との当接点は、図６に示したように本止めロック面７から仮止めロック面８へと転移する。
【００１２】
図５に示したようにストライク６が仮止めロック面８の先端部付近にて当接したときには、扉は狭い開度に初期開放され、扉９と筐体５間には隙間が作り出される。そのため、筐体５内部の蒸気や熱気は扉９の周辺開放部Ｇから分散して逸出する。
【００１３】
第二位置にある操作ハンドル１を手前に引くと、仮止めロック面８が相対的にストライク６によって押されるため、ラッチボルト３は後退方向に更に若干量移動し、ストライク６は仮止めロック面８の先端縁８ａを乗り越える。
これによってラッチボルト３とストライク６との係合によって扉９の施錠は完全に解除され、扉９は広い開度に終局開放させられる。
【００１４】
所要の作業の終了後、操作ハンドル１を第二位置に保持して扉９を閉鎖方向に回動させると、ラッチボルト３の背面側のラッチ動作用カム斜面１０がストライク６に当るため、ラッチ動作によってラッチボルト３は一旦後退方向に若干量移動し、ストライク６が仮止めロック面８の先端縁８ａを本止めロック面７側に乗り越えたとき、ラッチボルト３は前進移動し、ストライク６が仮止めロック面８の先端部付近に当接する。これによって扉９は当該閉鎖回転位置（前記した初期開放位置）に仮保持される。
【００１５】
このように初期開放位置まで扉９を戻した後、操作ハンドル１を第二位置から第一位置に回転させると、ストライク６とラッチボルト３の当接点は仮止めロック面から本止めロック面７へと転移し、図４に示したように扉９が筐体５に対して締込み施錠される。
【００１６】
【発明の実施の形態】図示の実施例では、扉９の正面側には操作ハンドル１の固定受座１１が固着されており、操作ハンドル１は固定受座１１に回転可能かつ抜取り不能に装着されている。連動機構２としては公知のクレモンロック機構が使用されており、連動機構２の固定ケース１２は扉９の内部空間に収容され、ブラケットプレート２８を介して扉９に固着されている。
図９に示したように固定ケース１２には受動ハブ１３が収容され、受動ハブ１３の中央軸部１４は固定ケース１２の前面壁と後面壁の軸孔１５に回転可能に嵌挿されている。
【００１７】
固定ケース１２には上下一対のスライダー４が直線摺動するよう案内して収容されており、固定ケース１２の上下面から突出した各スライダー４の連結軸部１６には、ラッチボルト３側の連結棒１７が捻じ込み固着される螺子孔１８を形成してある。各スライダー４の内端部には連結スロット１９が形成してあり、受動ハブ１３のアーム部２０の連結ピン２１が連結スロット１９に嵌挿されている。
【００１８】
受動ハブ１３の中央角孔２２には操作ハンドル１の角軸棒２３が嵌挿されており、操作ハンドル１を握り部１ａが垂直な第一位置から握り部１ａが水平となる第二位置へと回転させたとき、一対のスライダー４が後退駆動される一方、第二位置から第一位置に戻し回転させたとき、一対のスライダー４が前進駆動されるようになっている。
【００１９】
前記連結棒１７の先端部にはラッチボルト３の基端部が接合されており、ラッチボルト３はホルダー２４に摺動案内して嵌挿されている。ホルダー２４はブラッケットプレート２８を介して扉９に固着されている。連結棒１７の先端部の鍔部２５とホルダー２４の間には圧縮コイルバネ２６が挿入され、ラッチボルト３は後退方向に移動付勢されている。そのため、扉９の開放状態においてラッチボルト３がラッチ動作不能な位置までホルダー２４から過大に突出することがない。
【００２０】
ラッチボルト３と連結棒１７は、扉９の引張り開放に際して見掛け上、ストライク６が仮止めロック面８の先端縁８ａをカム斜面１０に向かって乗り越えるとき、また、扉９の閉鎖に際して見掛け上、ストライク６がカム斜面１から仮止めロック面８に向かうとき、一旦若干量後退してから再度前進するように、すなわちラッチ動作するように、ホルダー２４内部において遊動間隔を置いて連結され、バネ部材で付勢されている。
【００２１】
前記ホルダー２４にはラッチボルト３の移動量を規制するガイドピン４２が設けられている。ラッチボルト３をラッチ動作可能にする他の構成としては、スライダー４の連結軸部１６と連結棒１７の間に遊び間隔を設定したり、連動機構２の内部機構部分に遊び間隔を設定することもできる。
【００２２】
ストライク６は軸受プレート３０に芯軸３１によって回転支持されたローラで構成されている。軸受プレート３０は筐体５の正面方向への突出量を調整した後、調整スロット３２を通るビス３３及びナット３４によって固定ベース３５に締付け固着される。固定ベース３５の内側に固着されたサブベース３６には、ビス３７及びナット３８によって軸受プレート３０が牽引固定されている。
固定ベース３５はスペーサー３９と位置調整用プレート４２を介して、調整スロット４１を通るビスによって筐体５に対し締付け固着される。筐体５の開口部周縁にはパッキング部材４０が装着されている。
【００２３】
【発明の効果】以上のように本発明の二段階開放型扉用ロックハンドル装置では、操作ハンドル１の回転運動を直線往復運動に変換する連動機構２を介して操作ハンドル１に連動装備されたラッチボルト３は、ラッチボルト３の進退方向と平行な面で構成され、操作ハンドル１を第二位置から第一位置に回転させて連動機構２のスライダー４を前進駆動させたとき、ストライク６が当接する本止めロック面７と、ラッチボルト３の進退方向に対して傾斜した面で構成され、操作ハンドル１を第一位置から第二位置に回転させてスライダー４を後退駆動させたとき、ストライク６が当接する仮止めロック面８とを有しており、本止めロック面７に隣接した仮止めロック面８は本止めロック面７の先端縁７ａよりラッチボルト３の進退方向に突出して形成されているため、操作ハンドル１を第一位置から第二位置に回すとき、ラッチボルト３とストライク６との当接点が、本止めロック面７から仮止めロック面８に転移することによって、扉９は初期開放状態となって扉９と筐体５の間に隙間が生じ、この隙間を通して筐体５内部の蒸気や熱気は扉９の周辺開放部から分散して逸出するので、構成部品点数が少ない簡略化された構造でありながら、操作者は顔面への集中噴出による火傷事故から的確に防護される。
【００２４】
また、本発明の二段階開放型扉用ロックハンドル装置では、操作ハンドル１を第二位置に保持して扉９を閉めたとき、ラッチボルト３の仮止めロック面８がストライク６に当接することによって扉９が一旦停止し、その後、操作ハンドル１を第二位置から第一位置に回すと、ラッチボルト３とストライク６の当接点が仮止めロック面８から本止めロック面７に転移して、扉９が筐体５に対して締込み施錠されるものであり、扉９の閉鎖施錠においては段階的な操作手順を踏むため、扉９は比較的静かに閉鎖され、筐体５に無用な衝撃振動を加えて調理品に不良な変形や改変を与えることがない。
【図面の簡単な説明】
【図１】本発明の一実施例に係る二段階開放型扉用ロックハンドル装置の施錠状態を示す正面図であり、操作ハンドルは第一位置にある。
【図２】前記二段階開放型扉用ロックハンドル装置の左側面図である。
【図３】図１の状態から操作ハンドルを第二位置に回転させ、扉を初期開放位置まで移動させたときの左側面図である。
【図４】図２の二段階開放型扉用ロックハンドル装置のストライクとラッチボルト付近における拡大図である。
【図５】図３の二段階開放型扉用ロックハンドル装置のストライクとラッチボルト付近における拡大図である。
【図６】前記ストライクとラッチボルトの動作説明図である。
【図７】前記ストライクの正面図である。
【図８】前記ストライクの底面図である。
【図９】前記二段階開放型扉用ロックハンドル装置に使用した連動機構の一例を示す正面図である。
【符号の説明】
１  操作ハンドル
２  連動機構
３  ラッチボルト
４  連動機構のスライダー
５  筐体
６  ストライク
７  本止めロック面
８  仮止めロック面
９  扉
１０  ラッチボルトのラッチ動作用カム斜面
１１  操作ハンドルの固定受座
１２  連動機構の固定ケース
１３  連動機構の受動ハブ
１４  受動ハブの中央軸部
１５  固定ケースの軸孔
１６  スライダーの連結軸部
１７  ラッチボルトの連結棒
１８  連結軸部の螺子孔
１９  スライダーの連結スロット
２０  受動ハブのアーム部
２１  連結ピン
２２  受動ハブの中央角孔
２３  操作ハンドルの角軸棒
２４  ラッチボルトのホルダー
２５  連結棒のバネ受け用鍔部
２６  圧縮コイルバネ
２７  ガイドピン
２８  ブラケットプレート
２９  バネ受けリング
３０  ストライクの軸受プレート
３１  ストライクの芯軸
３２  軸受プレートの調整スロット
３３  軸受プレートの固定用ビス
３４  軸受プレートの固定用ナット
３５  固定ベース
３６  サブベース
３７  サブベースへの固定用ビス
３８  サブベースへの固定用ナット
３９  スペーサー
４０  パッキング部材
４１  調整スロット
４２  位置調整プレート
【図１】
2004332270.tif 000003
【図２】
2004332270.tif 000004
【図３】
2004332270.tif 000005
【図４】
2004332270.tif 000006
【図５】
2004332270.tif 000007
【図６】
2004332270.tif 000008
【図７】
2004332270.tif 000009
【図８】
2004332270.tif 000010
【図９】
2004332270.tif 000011